(57)【要約】【課題】  ユーザによる画像読取開始の指示がなくても、原稿台に載置された原稿の読み取りを行い、原稿の載置状態をプレビューする。【解決手段】  原稿台に載置される原稿を読み取る読取手段と、前記原稿台に載置された原稿を押圧する圧板の開閉状態を検知する検知手段と、少なくとも前記検知手段により前記圧板が閉じた状態にあることが検知されている場合に、ユーザによる読取開始指示がなされていなくとも、前記原稿台に載置された原稿の画像を前記読取手段に読み取らせ、前記読取手段によって読み取られた原稿の画像を表示部に表示するよう制御する制御手段と、を備えることを特徴とする。【選択図】  図５
2011151570.tif 000002
【特許請求の範囲】
【請求項１】
原稿台に載置される原稿を読み取る読取手段と、
前記原稿台に載置された原稿を押圧する圧板の開閉状態を検知する検知手段と、
少なくとも前記検知手段により前記圧板が閉じた状態にあることが検知されている場合に、ユーザによる読取開始指示がなされていなくとも、前記原稿台に載置された原稿の画像を前記読取手段に読み取らせ、前記読取手段によって読み取られた原稿の画像を表示部に表示するよう制御する制御手段と、
を備えることを特徴とする画像読取装置。
【請求項２】
前記制御手段は、前記検知手段により前記圧板が開いた状態にあることが検知されてから、前記読取開始指示がなされるまで前記原稿台に載置された原稿の画像を前記読取手段に読み取らせ、前記読取手段によって読み取られた原稿の画像を表示部に表示するよう制御することを特徴とする請求項１に記載の画像読取装置。
【請求項３】
前記読取手段は、原稿台に載置された原稿を露光する光学ユニットを備え、
前記制御手段は、前記光学ユニットの往路走査と復路走査とを交互に繰り返す毎に、前記読取手段が読み取る前記原稿の画像を表示部に表示することを特徴とする請求項１または２に記載の画像読取装置。
【請求項４】
前記制御手段は、前記圧板を開いた状態で前記原稿を露光する場合と、前記圧板を閉じた状態で前記原稿を露光する場合とで前記光学ユニットの露光量を変化させることを特徴とする請求項３記載の画像読取装置。
【請求項５】
前記制御手段は、前記圧板を開いた状態で前記原稿を露光する場合と、前記圧板を閉じた状態で前記原稿を露光する場合とで前記光学ユニットの走査領域を変更することを特徴とする請求項３または４に記載の画像読取装置。
【請求項６】
原稿台に載置される原稿を読み取る読取手段を備える画像読取装置の制御方法であって、
前記原稿台に載置された原稿を押圧する圧板の開閉状態を検知する検知工程と、
少なくとも前記検知工程により前記圧板が閉じた状態にあることが検知されている場合に、ユーザによる読取開始指示がなされていなくとも、前記原稿台に載置された原稿の画像を前記読取手段に読み取らせ、前記読取手段によって読み取られた原稿の画像を表示部に表示するよう制御する制御工程と、
を備えることを特徴とする画像読取装置の制御方法。
【請求項７】
請求項６に記載の画像読取装置の制御方法をコンピュータに実行させることを特徴とするプログラム。
【発明の詳細な説明】
【技術分野】
【０００１】
本発明は、原稿台に載置された原稿の画像を読み取る画像読取装置、画像読取装置の制御方法及びプログラムに関する。
【背景技術】
【０００２】
コンビニ等に設置されている複写機等の画像形成装置は、開閉可能な原稿圧板を備えるスキャナを画像読取装置として備えている。
【０００３】
このような複写機では、印刷用紙よりも小さな不定形原稿をスキャンする場合には、印刷結果が、印刷用のシートのどの位置にレイアウトされるのか、ユーザにとって分かりにくい。例えば、原稿圧板を備える画像読取装置は、原稿圧板を閉じたときの風圧で、原稿の載置位置がずれてしまうことがある。その場合、ユーザは、原稿圧板を閉じた状態で、スタートキー等によって画像読取開始を指示するため、画像読取開始の指示を行うまで、原稿の載置位置がずれたかどうかを確認できない。
【０００４】
また、従来、画像読取装置が読み取った画像をBOX等の記憶装置に保存し、印刷する前にプレビューする機能を備えた画像形成装置も存在する。さらに、画像をプレビューした後にプレビュー画面上で画像を編集（移動／回転補正など）する方法も提案されている。
しかしながら、この方法でも、原稿台に載置された画像の画像読取開始を指示し、画像がBOXに格納された後でなければ画像をプレビューすることができないため、画像読取開始を指示する前に原稿台に載置された原稿がずれたかどうかを確認することができない。また、画像を編集する操作に慣れていないユーザは、ずれた原稿の画像を正しく移動／回転補正するための操作を容易に行うことはできない。
【０００５】
このような要求に対し、特許文献１、特許文献２、特許文献３に示すような先行技術が提案されている。
なお、特許文献１、特許文献２、特許文献３に示す各技術では上記課題に対して、エリアＣＣＤセンサ及び超広角レンズを設置することによって、原稿台に載置された原稿の状況を表示するライブプレビューを可能にしている。
【先行技術文献】
【特許文献】
【０００６】
【特許文献１】特開２００８−１０７６５１号公報
【特許文献２】特開平１０−１２６５７７号公報
【特許文献３】特開２００４−２１９７２２号公報
【発明の概要】
【発明が解決しようとする課題】
【０００７】
しかしながら、エリアＣＣＤセンサ及び超広角レンズを設置する構成とする場合、画像読取装置全体としてコストアップにつながったり、超広角レンズの収差を考慮したりする必要がある。
さらに、上記各文献によるプレビューでは、ユーザがプレビューを望む度に原稿の読み取りを指示する必要があり、ユーザは本来の画像形成のための画像読取開始の指示以外に、何度もプレビュー開始指示を行う必要があった。
本発明は、上記の課題を解決するためになされたもので、本発明の目的は、ユーザによる画像読取開始の指示がなくても、原稿台に載置された原稿の読み取りを行い、原稿の載置状態をプレビューで確認できる仕組みを提供することである。
【課題を解決するための手段】
【０００８】
上記目的を達成する本発明の画像読取装置は以下に示す構成を備える。
原稿台に載置される原稿を読み取る読取手段と、前記原稿台に載置された原稿を押圧する圧板の開閉状態を検知する検知手段と、前記検知手段により前記圧板の開閉状態が閉じた状態から開いた状態に変化したことが検知されてから、ユーザによる読取開始指示がなされるまで、前記原稿台に載置された原稿の画像を前記読取手段に読み取らせる制御と、当該読み取られた原稿の画像を表示部に表示する制御とを繰り返し行う制御手段とを備えることを特徴とする。
【発明の効果】
【０００９】
本発明によれば、ユーザによる画像読取開始の指示がなくても、原稿台に載置された原稿の読み取りを行い、原稿の載置状態をプレビューで確認できる。
【図面の簡単な説明】
【００１０】
【図１】画像読取装置を適用可能な画像形成装置の一例を示す図である。
【図２】リーダ装置及びプリンタ装置の構成を示す断面図である。
【図３】図１に示した操作部の構成を説明する平面図である。
【図４】図１に示した制御装置の構成例を示すブロック図である。
【図５】画像読取装置の制御方法を説明するフローチャートである。
【図６】プラテンガラス上の原稿走査状態を説明する模式図である。
【図７】プラテンガラスに載置した原稿のプレビュー例を示す模式図である。
【図８】照明ランプと副照明ユニットとの光量差を説明する図である。
【図９】画像読取装置の制御方法を説明するフローチャートである。
【図１０】プラテンガラスに載置される原稿の走査状態を示す模式図である。
【図１１】画像読取装置のスポットスキャン処理例を示す図である。
【発明を実施するための形態】
【００１１】
次に本発明を実施するための最良の形態について図面を参照して説明する。
〔第１実施形態〕
図１は、本実施形態を示す画像読取装置を適用可能な画像形成装置の一例を示す図である。本例は、画像形成装置として、デジタル複合機の例を示す。
図１において、リーダ装置２００は、原稿画像を光学的に読み取り、画像データに変換する。なお、読み取られた画像データは、所定の画像処理が実行された後、後述するＲＡＭ、或いはハードディスク（ＨＤＤ）等に蓄積可能に構成されている。
リーダ装置２００は、原稿を読取るための機能を持つスキャナユニット２１０と、眩しさを軽減することを目的とした副照明ユニット２２０とで構成される。
プリンタ装置３００は、記録紙を搬送し、その上に画像データを可視画像として印字して装置外に排紙する。
プリンタ装置３００は、複数種類の記録紙カセットを持つ給紙ユニット３１０と、画像データを記録紙に転写、定着させる機能を持つマーキングユニット３２０と、印字された記録紙を機外へ出力する機能を持つ排紙ユニット３３０とで構成される。
制御装置１００は、リーダ装置２００、プリンタ装置３００と電気的に接続される。制御装置１００は、リーダ装置２００を制御して、原稿の画像データを読込み、プリンタ装置３００を制御して画像データを記録用紙に出力してコピー機能を提供する。
操作部１５０は、制御装置１００に接続され、液晶表示部（単に表示部ともいう）とタッチパネルで構成され、画像入出力システムを操作するためのユーザＩ／Ｆを提供する。なお、画像読取装置は、後述する制御に基づいて、プラテンガラス（原稿台）上に載置された原稿を自動的に読み取り、表示部にプレビューする機能（ライブプレビュー機能）を備える。
【００１２】
課金ユニット１６０は、制御装置１００に接続され、コイン課金装置またはプリペイド課金装置で構成され、ユーザが投入した現金の金額やプリペイドカードの残額を管理する。
ユーザがコピー操作を実施するたびに、課金ユニット１６０は制御装置１００と通信を行うことで、定められた金額を上記投入済み現金の金額やプリペイドカードの残額から減算する。
そして、ユーザがコピー操作を終了した際には、課金ユニット１６０は上記減算された残額の現金またはプリペイドカードをユーザに返却する。課金ユニット１６０内に残額ゼロのときには、課金ユニット１６０は制御装置１００に対して節電状態に移行する指示を行う。この状態から、ユーザが現金を投入して残額ゼロの状態から残額ありの状態に変化したことを課金ユニット１６０が検知した場合には、課金ユニット１６０は制御装置１００に対してコピーレディ状態移行する指示を行う。
【００１３】
図２は、図１に示したリーダ装置２００及びプリンタ装置３００の構成を示す断面図である。
図２において、原稿はプラテンガラス２１１の上面に、ユーザによってセットされる。原稿圧板２０１は、ユーザによってセットされたシート状の原稿の浮きをなくすために用いられる。つまり、原稿圧板２０１は、プラテンガラス２１１に載置された原稿を押圧する押圧部として機能する。
なお、原稿圧板２０１の開閉状態を検知するための開閉センサも存在するが、図２からは省かれている。リーダ部の撮像デバイスは、リニアＣＣＤセンサ２１８で構成される。
動作時には、ライン状の照明ランプ２１２、ミラー２１４、２１５、２１６から構成される光学ユニット２１３が、不図示の水平駆動手段を用いて副走査方向へ移動することで、原稿を露光走査する。この時の原稿からの反射画像は、ミラー２１４、２１５、２１６、及びレンズ２１７によってリニアＣＣＤセンサ（以下リニアＣＣＤという）２１８へ導かれる。なお、光学ユニット２１３は、後述する原稿検知モード時に、載置された原稿のサイズを検知して、図６の（Ｂ）に示すように光学ユニット２１３を往路走査と、復路走査とを交互に繰り返すことで、原稿のプレビューが実行される。
【００１４】
このように、走査された原稿の画像はリニアＣＣＤセンサ２１８によって読み取られる。リニアＣＣＤセンサ２１８から出力される画像データは、所定の処理が施された後、制御装置１００へ転送される。
２２０は面発光照明ランプと外光センサを備えた副照明ユニットである。後述のライブスキャン動作時に照明ランプ２１２と同時に発光することで、ユーザが感じる眩しさを低減させる。
プリンタ装置３００のレーザドライバ３２１はレーザ発光部３２２を駆動するものであり、制御装置１００から出力された画像データに応じて変調されたレーザ光をレーザ発光部３２２から発射する。このレーザ光は感光ドラム３２３に照射され、感光ドラム３２３にはレーザ光に応じた潜像が形成される。この感光ドラム３２３の潜像の部分には現像器３２４によって現像剤が付着される。
【００１５】
そして、レーザ光の照射開始と同期したタイミングで、カセット３１１、カセット３１２、カセット３１３、カセット３１４、手差し給紙段３１５のいずれかから記録紙が給紙される。そして、給紙された記録紙が転写部３２５へ搬送路３３１によって、感光ドラム３２３に付着された現像剤を記録紙に転写する。
【００１６】
その後、現像剤の乗った記録紙は搬送ベルト３２６によって、定着部３２７に搬送され、定着部３２７の熱と圧力により現像剤は記像紙に定着される。そして、定着部３２７を通過した記録紙は搬送路３３５、搬送路３３４を通り、機外に排出される。あるいは、印字面を反転して排出する場合には、搬送路３３６、搬送路３３８まで導かれ、そこから記録紙を逆方向に搬送し、搬送路３３７、搬送路３３４を通る。
【００１７】
また、両面記録が設定されている場合は、記録紙が定着部３２７を通過した後、搬送路３３６からフラッパ３２９によって、搬送路３３３に記録紙は導かれる。その後、記録紙を逆方向に搬送し、フラッパ３２９によって、搬送路３３８、再給紙搬送路３３２へ導かれる。
【００１８】
再給紙搬送路３３２へ導かれた記録紙は上述したタイミングで搬送路３３１を通り、転写部３２５へ給紙する。搬送路３３４を通過した記録紙は排紙トレイ３４０へ排出される。
図３は、図１に示した操作部１５０の構成を説明する平面図である。
図３において、６００はＬＣＤタッチパネルであり、主なモード設定、状況表示が行われる。なお、ＬＣＤタッチパネル６００は、後述する制御に従い、プラテンガラス２１１に載置された原稿状態を自動的にプレビューする表示部として用いられる。
６０１は０〜９までの数値を入力するためのテンキーである。６０２はＩＤキーであり、装置が部門管理されている場合に部門番号と暗礁モードを入力する際に使用されるものである。
【００１９】
６０３は設定されたモードをリセットするためのリセットキー、６０４は各モードについての説明画面を表示するためのガイドキー、６０５はユーザーモード画面に入るためのユーザーモードキーである。６０６は割り込みコピーを行うための割り込みキーとして使用される。
【００２０】
６０７はコピー動作をスタートさせるためのスタートキー、６０８は実行中のコピージョブを中止させるためのストップキーである。６０９はソフト電源ＳＷであり、押下することによりＬＣＤタッチパネル６００のバックライトが消え、本体の電源状態は省電力状態に移行する。６１０は節電キーであり、この節電キー６１０をユーザが押下することで電力供給状態が節電状態に入り、再度押下することで節電状態から抜けて、通常の画像形成可能な電力供給状態へ復帰する。
【００２１】
６１１、６１２、６１３はコピー、ボックス、拡張機能に移行させるためのファンクションキーである。図３ではコピーの標準画面が表示された状態であり、他のファンクションキー６１２，６１３を押下することでそれぞれの機能の標準画面が表示される。
６１４はＬＣＤタッチパネルのコントラストを調整するための調整キーである。６１５はカウンタ確認キーであり、このキーを押下することでそれまでに使用したコピー枚数の集計を表示するカウント画面がＬＣＤ上に表示される。
６１６はジョブの実行中、画像メモリへの画像蓄積中を示すＬＥＤである。６１７はジャム、ドアオープン等装置がエラー状態にあることを示すエラーＬＥＤである。６１８は装置のメインスイッチがＯＮになっていることを示す電源ＬＥＤである。
図４は、図１に示した制御装置１００の構成例を示すブロック図である。
図４において、制御装置１００は、画像入力デバイスであるリーダ装置２００や画像出力デバイスであるプリンタ装置３００と接続し、画像データの読み取りやプリント出力のための制御を行う。
ＣＰＵ１０１はデジタル複合機全体を制御するための中央処理装置である。ＲＡＭ１０２は、ＣＰＵ１０１が動作するためのシステムワークメモリであり、入力されたスキャン画像データを一時記憶するためのメモリでもある。
さらに、ＲＯＭ１０３はブートＲＯＭであり、システムのブートプログラムが格納されている。１０４はハードディスクドライブ（ＨＤＤ）であり、後述する各種処理のためのソフトウェアプログラムや、入力された画像データなどを格納する。
操作部Ｉ／Ｆ１０５は、画像データ等を表示可能な表示画面を有する操作部１５０に対するインタフェース部であり、操作部１５０に対して操作画面データやプレビュー画像データを出力する。
また、操作部Ｉ／Ｆ１０５は、操作部１５０から操作者が入力した情報をＣＰＵ１０１に伝える役割をする。シリアルインタフェース１０７は、課金ユニット１６０に接続して課金情報の入出力を行う。以上のユニットがシステムバス１０６上に配置されている。
イメージバスＩ／Ｆ１０９は、システムバス１０６と画像データを高速で転送する画像バス１１０とを接続するためのインタフェースであり、データ構造を変換するバスブリッジである。画像バス１１０上には、デバイスＩ／Ｆ１１２、スキャナ画像処理部１１３、画像編集用画像処理１１４が接続される。
【００２２】
デバイスＩ／Ｆ部１１２は、リーダ装置２００やプリンタ装置３００と制御装置１００とを接続し、画像データの同期系／非同期系の変換を行う。
また、スキャナ画像処理部１１３は、リーダ装置２００から入力した画像データに対して、補正、加工、編集等の各種処理を行う。画像編集用画像処理１１４は、画像データの回転や、画像データの圧縮伸長処理等の各種画像処理を行う。
なお、リーダ装置２００の原稿圧板２０１の開閉状態を検出するスイッチ２００Ａを備え、そのオンオフ状態がＣＰＵ１０１に通知される。したがって、ＣＰＵ１０１は、スイッチ２００Ａの情報に従い、原稿圧板２０１が現在閉じた状態であるのか、開いた状態であるのかを検知することができる。
次に、本実施形態を示す画像読取装置におけるライブプレビュー処理の説明をする。
図５は、本実施形態を示す画像読取装置の制御方法を説明するフローチャートである。なお、本フローチャートにおけるＳ５０１〜Ｓ５１１は各ステップを示し、各ステップはＲＯＭ１０３またはＨＤＤ１０４に記憶され、ＣＰＵ１０１がＲＡＭ１０２にロードして実行することで実現される。以下、制御装置１００のＣＰＵ１０１が実行するライブプレビュー処理を詳述する。なお、ＣＰＵ１０１は、スイッチ２００Ａの情報により、原稿圧板２０１が開いた状態であることを検知して、本処理を開始するものとする。また、開いた状態が所定時間継続していることを検知した場合には、本処理を抜けて、待機状態へ遷移することで、無駄なライブプレビュー処理を実行しないように制御される。
【００２３】
図６は、図２に示したプラテンガラス２１１上の原稿走査状態を説明する模式図である。
なお、図６の（Ａ）は、圧板原稿検知モード時における光学ユニットの状態を示す。この際、原稿圧板２０１は開けられた状態であり、制御装置１００の制御により光学ユニット２１３は図６の（Ａ）に示すようにプラテンガラス２１１の左端から数ｃｍはなれたサイズ検出ポジション（ＳＰポジション）に配置される。
【００２４】
図６の（Ｂ）は、ライブ全面スキャン時の光学ユニット２１３の往復走査状態を示し、ＬＳ１〜ＬＳ３はライブスキャンの動作の一例を示す。なお、読み取り解像度は７２ｄｐｉであり、ライブスキャン時の光量は、原稿読み取り時より露光量が低く設定される。
なお、ユーザが原稿圧板２０１を閉じた状態から開いた状態にすることで、画像読取装置は、図６の（Ａ）に示す原稿検知モード時に入る。そして、制御装置１００は、光学ユニット２１３を副走査方向に走査することで、リニアＣＣＤセンサ２１８が読み取る画像データからプラテンガラス２１１に載置された原稿の矩形サイズを検知する。
そして、制御装置１００は、検知した矩形サイズからライブスキャンする走査領域を決定することが可能となり、この走査領域の副走査方向の走査長がライブスキャンＬＳ１〜ＬＳ３の走査長に対応する。
また、本実施形態で、制御装置１００は、光学ユニット２１３に、ライブスキャンＬＳ１によって原稿の端が検知される位置まで往路走査を行わせ、その位置から復路走査として、ライブスキャンＬＳ２を開始させる。このように、検知した原稿サイズに応じて、光学ユニット２１３を往復動作させることで、プラテンガラス２１１に載置された原稿の状態をＬＣＤタッチパネル６００に上にライブプレビューすることが可能となる。このとき、制御装置１００は、まず光学ユニット２１３をＬＳ１で示される往路走査によって読み取った原稿の画像を、ＬＣＤタッチパネル６００に表示させる。その後、制御装置１００は、光学ユニット２１３をＬＳ２で示される復路走査によって読み取った原稿の画像を、ＬＣＤタッチパネル６００に表示させる。また、制御装置１００は、ＬＳ３以降、光学ユニット２１３を往復走査させて読み取った原稿の画像をＬＣＤタッチパネル６００に表示させる。
図６の（Ｃ）は原稿読み取り時の走査領域を示し、読み取り解像度は６００ｄｐｉであり、原稿読み取り時の露光量は、ライブビュー時より光量が高く設定される。この際、光学ユニット２１３が走査される走査領域は、図６の（Ａ）で検知された原稿のサイズに対応して決定される。
画像形成装置の制御装置１００は、コピー待機状態においては、Ｓ５０１の圧板原稿検知モードの動作を行っている。圧板原稿検知モードにて、リニアＣＣＤセンサ２１８は主走査方向に撮像を行う。
次に、Ｓ５０２で、制御装置１００はリニアＣＣＤセンサ２１８が読み取るライン状の画像（主走査方向画像）を用いてプラテンガラス２１１上に原稿が存在するか、すなわち原稿を検知している状態か否かの判断を行う。
ここで、リニアＣＣＤセンサ２１８によって得られたライン状の画像データは、デバイスＩ／Ｆ１１２、画像バス１１０、イメージバスＩ／Ｆ１０９およびシステムバス１０６を経由して、ＲＡＭ１０２に保存される。
次に、ＣＰＵ１０１は圧板原稿検知プログラムを実行し、ＲＡＭ１０２に保存されたライン状画像データを用いて、原稿の有無を判断する。ここで、原稿なしと制御装置１００が判断した場合には、Ｓ５０１に戻る。一方、原稿ありと制御装置１００が判断した場合には、Ｓ５０３に処理を移す。
【００２５】
そして、Ｓ５０３では、制御装置１００によってライブスキャンとプレビュー表示のための処理が行われる。
まず、光学ユニット２１３の位置をプラテンガラス２１１の左端に移す。ここから右側（副走査方向）に向かって光学ユニット２１３を移動させながら、プラテンガラス上の原稿の撮像を行う第１回目（往路）のライブスキャンＬＳ１を実行する。
ここで、リニアＣＣＤセンサ２１８によって得られたライン状画像は、逐次デバイスＩ／Ｆ１１２、画像バス１１０を経由して、スキャナ画像処理部１１３に送られ、ここで解像度７２ｄｐｉのプレビュー用画像（ライン状）に変換される。
さらにプレビュー用画像（ライン状）はイメージバスＩ／Ｆ１０９およびシステムバス１０６を経由して、ＲＡＭ１０２に順次蓄積されることで、プレビュー用矩形画像として保存される。
ここで、ＣＰＵ１０１は原稿サイズ検知プログラムを実行し、ＲＡＭ１０２に保存されたプレビュー用矩形画像を用いて記録紙サイズを特定する。記録紙サイズは、定型用紙サイズを判定するためのテーブルを参照してプリンタ装置３００が印刷可能な定型用紙サイズのうちの一つが選択される。なお、原稿画像サイズは、ＣＰＵ１０１によって、記録紙サイズより小さいものとして特定される。
【００２６】
例として画像が図６の（Ａ）に示す破線に近いサイズで、かつ破線内に収まるサイズであるとＣＰＵ１０１が判断した場合には、記録紙サイズとしてＡ４が選択される。記録紙サイズが選択された時点で、光学ユニット２１３の右側への移動とライン状画像のＲＡＭ１０２への転送は中断される。この破線は、画像形成装置が給紙ユニット３１０から給紙可能な複数種類の定型用紙サイズのそれぞれに対応して設けられている。図６Ａは、Ａ４用紙サイズに対応して設けられたものである。
【００２７】
この状態で、ＲＡＭ１０２には、プレビューに適した７２ｄｐｉの画像が蓄積されている。
そして、制御装置１００内のＣＰＵ１０１がプレビュー表示プログラムを実行して、プレビュー用画像を操作部Ｉ／Ｆ１０５を経由して、図７の（Ｂ）に示すように操作部１５０上のＬＣＤタッチパネル６００にプレビュー表示する。
このライブスキャンは、ユーザが原稿圧板２０１を閉じた状態から開いた状態にすることで開始される例を示したが、ユーザが原稿圧板２０１を開いた状態にした後、原稿を載置し、圧板が閉じた状態になってから開始するようにしてもよい。すなわち、画像読取装置は、ライブスキャンを、少なくとも、圧板が閉じられた状態になったことを検知してから、操作部１５０のスタートキーによる画像読取指示を受付けるまでの間に自動的に行えばよい。また、画像読取装置は、ライブスキャンを、圧板が開けられた状態になったことを検知してから、操作部１５０のスタートキーによる画像読取指示を受付けるまでの間に行うようにしてもよい。あるいは、ライブスキャンを、少なくとも、圧板が閉じられた状態になったことを検知してから開始するか、圧板が開けられた状態になったことを検知してから開始するかを、予め画像読取装置の設定として、設定できるようにしてもよい。
図７は、図１に示したプラテンガラス２１１上に載置された原稿とその原稿のプレビューとの対応を示す模式図である。
図７の（Ａ）は、リーダ装置２００のプラテンガラス２１１を真上から見た様子を示し、図７の（Ｂ）は、そのプレビューをＬＣＤタッチパネル６００に表示した状態に対応する。
なお、７０１は原稿で、プラテンガラス２１１上で基準位置よりも斜めにずれた状態で載置される。原稿７０１はプラテンガラス２１１上に裏返しに載置される。
７０２は原稿プレビューで、操作部１５０のＬＣＤタッチパネル６００の右上を基準として、読み取られた原稿７０１のプレビュー７０２が原稿サイズ枠線としての破線７０３とともに表示された状態である。なお、表示の基準は、ＬＣＤタッチパネル６００の左上が基準であってもよい。
なお、原稿サイズ枠線７０３は、ＣＰＵ１０１がプレビュー表示プログラムを実行した際に、前述の原稿サイズ検知プログラムによって選択された原稿画像サイズに対応する領域を、ＬＣＤタッチパネル６００上に破線で示したものである。原稿の画像とともに、選択された記録紙サイズに対応する破線を表示することによって、ユーザは、原稿の画像が、記録紙のどの位置に印刷されるかを容易に確認することができる。
【００２８】
図７の（Ｂ）のプレビュー表示をユーザが見ることにより、プラテンガラス２１１上の原稿は、原稿画像サイズ内に収まってはいるが、若干傾いた状態であることをユーザは認識できる。
次に、Ｓ５０３で、最初のプレビュー表示が完了すると、制御装置１００はＳ５０４にて、ユーザがコピースタートキー６０７を押下することによって読取開始指示を入力したかどうかを判断する。
ここで、コピースタートキー６０７が押下されたとＣＰＵ１０１が判断した場合は、Ｓ５０５にてプリントスキャンを行う。プリントスキャンの詳細については後述する。
一方、Ｓ５０４で、コピースタートキー６０７が押下されていないとＣＰＵ１０１が判断した場合は、制御装置１００はＳ５０６にて、原稿圧板２０１の開閉センサ（図示しない）の状態を確認する。
ここで、ユーザが原稿の載置状態を直すため、原稿圧板２０１を閉じた状態から開状態にする操作を行う場合がある。
そこで、原稿圧板２０１の開閉センサ（図示しない）の状態から原稿圧板２０１の開閉状態が開状態であるとＣＰＵ１０１が判断した場合は、Ｓ５０７で、ＣＰＵ１０１はあらかじめ設定されたウエイト時間が経過しているかどうかの判断を行う。
本実施形態では、ライブスキャン動作で光学ユニット２１３が停止してから１秒をウエイト時間と設定している。なお、Ｓ５０７で、ウエイト時間内であるとＣＰＵ１０１が判断した場合は、Ｓ５０６に戻る。なお、ウエイト時間は、基本設定等により規定時間を加減できるように構成されているものとする。これは、手慣れたユーザは原稿の載置位置調整を短時間で完了できるが、不慣れなユーザは多少原稿載置の調整に手間取る場合があるから、適切な規定時間をユーザ本意に設定できることが望ましい。なお、規定時間を、０秒に設定することもできる。
【００２９】
ここで、ウエイト時間が経過したとＣＰＵ１０１が判断した場合は、Ｓ５０３に戻り、二回目（復路）のライブスキャンとプレビュー表示を実施する。
そして、制御装置１００は、光学ユニット２１３を左方向に移動させながら二回目（復路）のライブスキャンＬＳ２を行う。一回目と同様に、プレビュー用７２ｄｐｉ画像（ライン状）はＲＡＭ１０２に順次蓄積されることで、プレビュー用矩形画像として保存される。
【００３０】
そして、光学ユニット２１３が左端まで到達した時点で画像転送と画像蓄積を終え、プレビュー表示プログラムは、ＬＣＤタッチパネル６００のプレビュー画像表示を更新する。なお、この復路の過程では、原稿サイズ検知プログラムは動作していない。
このように光学ユニット２１３を一定時間間隔で往復させながらライブスキャンとプレビュー表示を繰り返すことにより、ユーザは原稿位置のズレ具合をＬＣＤタッチパネル６００のプレビュー画像表示で認識しながら原稿位置の修正を容易に行うことができる。
そして、Ｓ５０６にて、ユーザが原稿の載置位置ずれを補正するための操作を行わず、原稿圧板２０１が閉状態であるとＣＰＵ１０１が判断した場合には、プラテンガラス２１１上の原稿は固定された状態にあると考えられる。この場合は、原稿の載置ずれがない状態であると想定される。
【００３１】
ただし、原稿圧板２０１を閉じる瞬間の風圧などにより、原稿位置がずれることもあるため、制御装置１００は、Ｓ５０８にて一回だけライブスキャンとプレビュー表示の更新を行う。
その後、Ｓ５０８にて。読取開始指示を行うべく、ユーザによるコピースタートキー６０７の押下を検知したかどうかをＣＰＵ１０１が判断する。ここで、ユーザによるコピースタートキー６０７の押下を検知したとＣＰＵ１０１が判断した場合は、ＣＰＵ１０１は、Ｓ５１０にて後述のプリントスキャンを行う。
【００３２】
そして、Ｓ５１１で、原稿圧板２０１の開閉センサの状態を確認するステップであり、原稿圧板２０１が閉状態のままの状態であるかどうかをセンサ状態に基づいてＣＰＵ１０１が判断する。
ここで、原稿圧板２０１が閉じた状態であるとＣＰＵ１０１が判断した場合は、Ｓ５０９に戻るループ処理を行う。
一方、Ｓ５１１で、原稿圧板２０１が開状態になっているとＣＰＵ１０１が判断した場合は、Ｓ５０１に戻る。
なお、Ｓ５０５およびＳ５１０に制御装置１００が行うプリントスキャンの様子を図６の（Ｂ）を用いて説明する。
まず、光学ユニット２１３の位置をプラテンガラス２１１の左端に移す。ここから右側に向かって光学ユニット２１３を移動させながら、プラテンガラス上の原稿の撮像を行う（１回目のライブスキャンＬＳ１）。
この際、リニアＣＣＤセンサ２１８によって得られたライン状の画像データは、逐次デバイスＩ／Ｆ１１２、画像バス１１０を経由して、スキャナ画像処理部１１３に送られる。ここで、送られるライン状画像の解像度は６００ｄｐｉである。スキャナ画像処理部１１３はライン状の６００ｄｐｉ画像を画像処理に必要なライン数だけ蓄積し、像域分離処理、高画質化フィルタ処理（ノイズ除去、輪郭強調など）を施す。その後は、イメージバスＩ／Ｆ１０９およびシステムバス１０６を経由して、ＲＡＭ１０２に順次蓄積される。
【００３３】
ここで、原稿画像サイズ分の画像がＲＡＭ１０２に蓄積完了したことをＣＰＵ１０１が確認したら、制御装置１００はプリンタ装置３００を制御して印刷処理の準備を行う。
制御装置１００は、プリンタ装置３００の給紙カセットまたは手差し給紙段のいずれかに記録紙サイズにマッチした用紙があるか否かを確認する。そして、当該用紙があれば、制御装置１００はＲＡＭ１０２内に蓄積された画像データをシステムバス１０６、イメージバスＩ／Ｆ１０９、画像バス１１０およびデバイスＩ／Ｆ１１２を経由してプリンタ装置３００に送り、印刷を実行する。
【００３４】
なお、制御装置１００に接続された課金ユニット１６０に現金が投入されていない、もしくはプリペイドカードが挿入されていない、もしくはプリペイドカードの残高がゼロの場合には、制御装置１００は画像読取装置または画像形成装置を節電状態に移行させる。このため、課金処理が正常に実行できない状態においては、前述の原稿検知動作やプレビュー動作を実行しないように制御している。
【００３５】
次に、ライブ全面スキャン時とプリント全面スキャン時との副照明ユニット２２０の光量制御について説明する。
ライブスキャン動作において、一定時間ごとに光学ユニット２１３が往復動作しているときには、原稿圧板２０１は開いたままの状態である。このとき、ライン状の照明ランプ２１２も往復動作をするため、ユーザはライン状の強い光がプラテンガラス２１１の内部で往復する光景を見続けることになる。このようなユーザの視覚的に不快な状況（眩しい状況）を軽減するために、制御装置１００は、副照明ユニット２２０を以下のように点灯制御する。
【００３６】
まず、ＣＰＵ１０１は、原稿圧板２０１の開閉センサが閉状態であることを検出している場合は、副照明ユニット２２０は非点灯とするように制御する。
また、Ｓ５０１の圧板原稿検知モードが開始される前までは、ＣＰＵ１０１は、副照明ユニット２２０は非点灯のままとするように制御する。
そして、図６の（Ａ）に示すＳ５０１の圧板原稿検知モード中、ＣＰＵ１０１は、ライン状の照明ランプ２１２と副照明ユニット２２０は同時に点灯するように制御する。
そして、Ｓ５０３以降のライブスキャン動作中、およびＳ５０５のプリントスキャン中もＣＰＵ１０１は、ライン状の照明ランプ２１２と副照明ユニット２２０は同時に点灯するように制御する。
原稿圧板２０１の開閉センサが閉状態となっているＳ５０８とＳ５１０の処理中には、ＣＰＵ１０１は、ライン状の照明ランプ２１２は点灯するが副照明ユニット２２０は点灯しないように制御する。
なお、副照明ユニット２２０には外光センサも装備されており、自然光下での周囲環境の明るさを検知している。
ここで、ライン状の照明ランプ２１２と副照明ユニット２２０が同時点灯する場合の、副照明ユニット２２０の光量は、制御装置１００のＣＰＵ１０１によって図８に一例を示すように制御される。
図８は、図２に示したライン状の照明ランプ２１２と副照明ユニット２２０の光量を説明する図である。
本例ではライン状の照明ランプ２１２を主光源とし、副照明ユニット２２０を副光源としている。
この光量制御によって、ライブスキャン時にはユーザの感じる眩しさ、不快感を低減しながら、原稿面を必要十分な光量で照らし、また、プリントスキャン時にはリーダ部のスキャン能力を十分に発揮できる光量で原稿面を照らすことが可能になる。
〔第２実施形態〕
第１実施形態においては、ライブスキャンは一定時間ごとに原稿画像サイズに相当する領域を全てスキャンしていた。そのため、光学ユニット２１３は常に大きく往復動作し、また制御装置１００内で処理、転送されるの画像データの総量も大きかった。
【００３７】
そこで、第２実施形態においては、ハードウェア構成はそのままに、制御装置１００内の処理として走査領域を変更するスポットスキャン制御を行うことにより、転送されるの画像データの総量を押さえるように構成してもよい。以下、その実施形態について説明する。
図９は、本実施形態を示す画像読取装置の制御方法を説明するフローチャートである。なお、本フローチャートにおけるＳ９０１〜Ｓ９１５は各ステップを示し、各ステップはＲＯＭ１０３またはＨＤＤ１０４に記憶され、ＣＰＵ１０１がＲＡＭ１０２にロードして実行することで実現される。以下、制御装置１００のＣＰＵ１０１が実行するライブプレビュー処理を詳述する。なお、Ｓ９０１〜９０３、Ｓ９０８〜Ｓ９１５は、図５に示したＳ５０１〜５０３、Ｓ５０４〜Ｓ５１１と同様の処理であるので説明は割愛する。
【００３８】
図１０は、図２に示したプラテンガラス２１１上の原稿走査状態を説明する模式図である。本例は、スポットスキャン処理時の原稿走査状態に対応する。
図１０の（Ａ）は、図６の（Ａ）と同様であり、図１０の（Ｄ）は図６の（Ｃ）と同様であるので、その説明は省略する。
以下、図５に示したフローチャートの手順と異なる部分を中心に説明する。
なお、Ｓ９０３にてライブスキャンとプレビュー表示を行うところまでの処理は、第１実施形態と同様である。
Ｓ９０４にて、ＲＡＭ１０２内に蓄積されたプレビューした画像データから、スポットスキャンを行う矩形領域の選定を行う。
［第１のスポットスキャン領域選定方法］
図１０の（Ｂ）は、スポットスキャン領域として、原稿画像の端部のスポットスキャン領域１００１を選択する様子を示している。
なお、ＣＰＵ１０１は、Ｓ９０３中の原稿画像領域の検知結果（図１０の（Ａ）参照）として、原稿画像の縦横サイズを認知している。ここから、制御装置１００のＣＰＵ１０１はプラテンガラス２１１上に裏返しに置かれている原稿の右下を中心とした矩形領域をスポットスキャン領域１００１として設定する。
【００３９】
本例において、スポットスキャン領域１００１の縦横サイズは、原稿画像サイズの１／１０程度の十分小さな領域とする。なお、原稿の読み取る解像度は７２ｄｐｉである。
［第２のスポットスキャン領域選定方法］
図１０の（Ｃ）は、スポットスキャン領域として、原稿画像中の画像特徴量を計算し、スポットスキャン領域１００２として特徴的かつ中央部付近の領域を選択する様子を示している。
この場合、ＲＡＭ１０２に蓄積されたプレビュー用７２ｄｐｉの画像データに対して、微分フィルタを通して生成された画像データ１１０１を図１１の（Ａ）に示す。なお、原稿の読み取る解像度は７２ｄｐｉである。
図１１は、本実施形態を示す画像読取装置が読み取るべき原稿とスポットスキャン処理との対応を示す図である。
図１１の（Ａ）において、１１０１は微分した画像データで、ＲＡＭ１０２に蓄積される。さらにこの微分した画像データ１１０１から画素値の大きな画素のみを残したものが図１１の（Ｂ）に示す画像データ１１０２である。画像データ１１０２は、元のプレビュー用画像の中で強いエッジ部分を抽出したものに対応する。
【００４０】
ＣＰＵ１０１は、Ｓ９０３の処理における原稿画像領域の検知結果として、原稿画像の縦横サイズを認知する。さらに、図１１の（Ｂ）に示した画像データ１１０２から、エッジの強い領域かつ原稿画像の横方向の中心付近に相当するプラテンガラス２１１上の矩形領域をスポットスキャン領域１００２とする。
【００４１】
スポットスキャン領域１００２の縦横サイズは、原稿画像サイズの１／１０程度の十分小さな領域とする。以上の処理は制御装置１００内のＣＰＵ１０１にて実行されるスポット領域抽出プログラムによって行われる。
次に、制御装置１００のＣＰＵ１０１は、Ｓ９０４にてスポットスキャン領域を決定した後、Ｓ９０５で、スポットスキャン領域１００２内だけに限定したライブスポットスキャンを実施する。
ライブスポットスキャン時には、スポット領域内のみを撮像すればよいため、光学ユニット２１３を移動させる範囲は限定することができ、無駄な往復動作がなくなる。つまり、ライブスポットスキャンにより、画像読取りのため光学ユニット２１３の往復走査を行う、例えばステップモータ等の駆動手段に与える負荷も軽減できる。
【００４２】
なお、ライブスポットスキャンによって撮像された画像データは、ＲＡＭ１０２に蓄積される。さらに、Ｓ９０６にて、ＣＰＵ１０１は、ＲＡＭ１０２に蓄積されたスポットスキャン領域の画素値と、スポットスキャン領域の元画像の同じ座標の画素値とを比較して画素値の差分を計算する。
Ｓ９０７で、画素値に差分があるとＣＰＵ１０１が判断した場合にはプラテンガラス２１１上で原稿が動いたことを意味するため、Ｓ９０１に戻る。
一方、Ｓ９０７で画素値に差分がないとＣＰＵ１０１が判断した場合には、Ｓ９０３、Ｓ９１０、Ｓ９１１からＳ９０５に戻るループ処理を行う。
以上のような制御を行うことにより、プラテンガラス２１１上の原稿が動いたか否かを監視し続けることができる。なお、ＣＰＵ９０７は、計算された差分が、所定の値を超えるか否かで、原稿が動いたかどうかを判断するようにしてもよい。
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００４３】
本発明は上記実施形態に限定されるものではなく、本発明の趣旨に基づき種々の変形（各実施形態の有機的な組合せを含む）が可能であり、それらを本発明の範囲から除外するものではない。
本発明の様々な例と実施形態を示して説明したが、当業者であれば、本発明の趣旨と範囲は、本明細書内の特定の説明に限定されるのではない。
【符号の説明】
【００４４】
１００  制御装置
２００  リーダ装置
３００  プリンタ装置
【図１】
2011151570.tif 000003
【図２】
2011151570.tif 000004
【図３】
2011151570.tif 000005
【図４】
2011151570.tif 000006
【図５】
2011151570.tif 000007
【図６】
2011151570.tif 000008
【図７】
2011151570.tif 000009
【図８】
2011151570.tif 000010
【図９】
2011151570.tif 000011
【図１０】
2011151570.tif 000012
【図１１】
2011151570.tif 000013